(57)【要約】      （修正有）【課題】サイズの異なる生餌を容易に保持することができるとともに、ワイヤ等で釣針に直接固定する際に生じる生餌の損傷を防止することができ、複数回キャスティング等を行ったとしても、生餌の身崩れを防ぐことが可能であり、その結果、一つの生餌のエキスを長時間放出させ続けることで釣果の期待値を高めることが可能な生餌保持具を提供する。【解決手段】生餌保持具１は、生餌に似せた外観形状を有する保持具本体２と、保持具本体２の内部に生餌全体を保持する中空部３と、を備えてなり、保持具本体２側面には中空部３と連通する放出穴５、５と、保持具本体２底面には中空部３と連通して生餌を挿入する挿入穴４と、保持具本体２外周面には釣針に巻き付けるワイヤを案内するガイド溝６と、から構成される。【選択図】図１
2018191587.tif 000002
【特許請求の範囲】
【請求項１】
生餌に似せた外観形状を有する保持具本体と、該保持具本体の内部に生餌全体を保持する中空部と、を備えてなり、前記保持具本体側面には前記中空部と連通する放出穴と、前記保持具本体底面には前記中空部と連通して前記生餌を挿入する挿入穴と、前記保持具本体外周面には前記保持具本体を釣針に巻き付けためのワイヤを案内するガイド溝と、を有することを特徴とする生餌保持具。
【請求項２】
挿入穴は、保持具本体底面に配置して中空部と連通するように形成され、該挿入穴の形状は、丸穴と、該丸穴から延設された長穴と、からなることを特徴とする請求項１記載の生餌保持具。
【請求項３】
ガイド溝は、保持具本体の放出穴間の中間に複数配置された凹状の溝部からなり、該溝部は、保持具本体底面と、保持具本体両側面と、保持具本体上面とからなる外周面を一周するよう形成されることを特徴とする請求項１又は２のいずれか一項に記載の生餌保持具。 
【発明の詳細な説明】
【技術分野】
【０００１】
本発明は、釣針に取り付ける生餌を保持する生餌保持具であり、とりわけ、採捕する対象魚の餌となる小魚を保持し得るものに関する。
【背景技術】
【０００２】
従来のタチウオ釣り用の仕掛けは、重りの下方に取付けられた釣針にキビナゴなどの生餌を釣針に設けられた刺針に刺し込むとともに、釣針にワイヤで直接巻き付けて固定する方法（いわゆるテンヤ仕掛けと呼ばれる）が用いられている。このテンヤ仕掛けは、生餌を用いているため、採捕する対象の魚の食いつきが良くなり釣果を期待することができる一方で、生餌を釣針に取付ける準備作業に手間が掛かるとともに、しっかりとワイヤで巻き付けようとすると生餌を損傷し、数回のキャスティングで身崩れして使い物にならなくなってしまう恐れがある。また、新しい生餌の付け替え作業にさらに手間が掛かる欠点があった。
【０００３】
そこで、上記欠点を解決するために、ワイヤで釣針に巻き付けることなく、釣針に設けられた小魚を挟持する補助アームを備えたベイトホルダーが提案されている（例えば、特許文献１参照）。
【０００４】
また、前本体及び後本体が分離可能なルアー本体と、該ルアー本体の内部に生餌を収容する収容部を備えたルアーが提案されている（例えば、特許文献２参照）。
【先行技術文献】
【特許文献】
【０００５】
【特許文献１】特開２０１２―１２０４９６号公報（特許第５５２２７３７号公報）
【特許文献２】特開２００７−２０９２２８号公報
【発明の概要】
【発明が解決しようとする課題】
【０００６】
しかしながら、上記特許文献１に記載された発明は、釣針に直接挟持して固定するため、サイズの大きい生餌の場合には生餌を傷つけてしまったり、サイズの小さい生餌の場合にはしっかりと挟持できなかったりする恐れがある。この傷つけた状態で水中にキャスティングを繰り返すと、容易に生餌が身崩れして釣針から外れてしまい、再度取付ける手間が掛かってしまう欠点があった。
【０００７】
また、上記特許文献２に記載された発明は、前本体と後本体とを分離して、内部の収容部に生餌を収容させた後、前本体と後本体とを連結したルアーとするため、そのルアーを釣針に巻き付けた場合、ワイヤ等の外部の圧力によってルアー本体が変形して分離してしまい、ルアー本体の内部に収容された生餌が外れてしまう恐れがある。
【０００８】
そこで、本発明は、生餌である小魚を容易に保持することができるとともに、ワイヤで釣針に巻き付けによる損傷を防ぐことで水中へのキャスティング、採捕する対象の魚の噛み付き等の外部からの圧力に対して生餌の身崩れを防ぐことが可能である。その結果として、一つの生餌に対する釣果の期待値を高めることが可能な生餌保持具を提供することを目的とする。
【課題を解決するための手段】
【０００９】
上記課題に鑑み、本発明の生餌保持具は、生餌に似せた外観形状を有する保持具本体と、該保持具本体の内部に生餌全体を保持する中空部と、を備えてなり、前記保持具本体側面には前記中空部と連通する放出穴と、前記保持具本体底面には前記中空部と連通して前記生餌を挿入する挿入穴と、前記保持具本体外周面には釣針に巻き付けるためのワイヤを案内するガイド溝と、を有することを特徴とする。
【００１０】
また、上述した構成に加え、挿入穴は、保持具本体底面に配置して中空部と連通するように形成され、該挿入穴の形状は、丸穴と、該丸穴から延設された長穴と、からなることが好ましい。
【００１１】
また、上述した構成に加え、ガイド溝は、保持具本体の放出穴間の中間に複数配置された凹状の溝部からなり、該溝部は、保持具本体底面と、保持具本体両側面と、保持具本体上面とからなる外周面を一周する環状に形成されることが好ましい。
【発明の効果】
【００１２】
請求項１記載の発明よれば、サイズの異なる生餌を容易に保持することができるとともに、ワイヤ等で釣針に巻き付けて固定する際に生じる生餌の損傷を防止することが可能である。また、複数回キャスティング等による外部からの圧力による身崩れを防ぐことで、一つの生餌のエキスを長時間放出させ続けることが可能である。その結果として、一つの生餌に対する釣果の期待値を高めることが可能な生餌保持具を提供することが可能である。
【００１３】
請求項２記載の発明によれば、小魚の頭部、尾部に比べて、腹部の太い部分は、挿入穴の長穴部分を拡げて通すことで、挿入しやすくすることができるとともに、生餌を取り替える際に取り外しやすくすることが可能である。
【００１４】
請求項３記載の発明によれば、直接釣針を生餌に取り付けることなく、生餌保持具の外周面の放出孔の中間に設けられた複数の溝部からなるガイド溝に沿ってワイヤを巻き付けることで、釣針に対して生餌をワイヤの間隔を空けて巻き付けることができ、より一層生餌を損傷させずに釣針に巻き付けることが可能である。
【図面の簡単な説明】
【００１５】
【図１】本発明の実施形態における生餌保持具を示す側面図である。
【図２】図１の底面図である。
【図３】本実施形態における生餌保持具に生餌を挿入して保持する方法を示す概念図である。
【図４】本実施形態における生餌保持具に生餌を保持した状態で釣針に取付けた状態を示す概念図である。
【発明を実施するための形態】
【００１６】
本発明の実施形態について図に基づいて詳細に説明する。
【００１７】
(実施形態)
本発明による生餌保持具１は、図１に示すように、生餌７である小魚の頭部２ｂ、腹部２ｃ、尾部２ｄに似せた外観形状を有する保持具本体２と、保持具本体２の内部に生餌７全体を保持する中空部３と、を備えてなり、保持具本体２側面には中空部３と連通する放出穴５、５と、保持具本体２底面には中空部３と連通して生餌７を挿入する挿入穴４と、保持具本体２外周面には保持具本体２を釣針８に巻き付けるためのワイヤ９を案内するガイド溝６と、から構成されるものである。また、この保持具本体２は、熱可塑性樹脂などの軟質素材を主体として一体的に形成されることが好ましい。
【００１８】
中空部３は、保持具本体２の腹部２ｃ付近の内部に小魚等の生餌７全体を覆うように保持するため、生餌７の外形に適合する形状の内周面３ａからなる中空の空間から形成される（例えば、生餌７が小魚の場合、先端と後端付近が先細り形状となる）。また、この中空部３の内周面３ａと、保持具本体２の外周面２ａとの間に、所定の厚みを設けることで、中空部３内に保持された生餌７を外部からの圧力に対して保護されるようにしておくことが好ましい。
【００１９】
挿入穴４は、保持具本体２の腹部２ｃから尾部２ｄまでの間の保持具本体２底面に配置され、中空部３と連通するように形成されたものである。この挿入穴４は、略円形状の丸穴４ａと、該丸穴４ａから保持具本体２の頭部２ｂ方向に延設された細い長穴４ｂと、から形成されることが好ましい。
【００２０】
放出穴５、５は、保持具本体２の中空部３に保持された生餌７の臭いやエキスを水中に放出するために、保持具本体２両側面に頭部２ｂから尾部２ｄの方向にかけて等間隔に複数配置するとともに、中空部３と連通するように略円形状に形成されていることが好ましい。
【００２１】
ガイド溝６は、保持具本体２の頭部２ｂから尾部２ｄにかけて放出穴５、５間の中間に複数配置され、ワイヤ９の断面形状に適合するような凹状の溝部６ａ、６ａからなり、該溝部６ａ、６ａは、保持具本体２底面と、保持具本体２両側面と、保持具本体２上面とからなる外周面２ａを一周するように形成されることが好ましい。
【００２２】
次に、上述した構成に基づいた生餌保持具１の使用方法について説明する。
【００２３】
図３は、生餌保持具１に生餌７を挿入している状態を示す図であり、保持具本体２底面の挿入穴４を介して生餌７である小魚を中空部３に挿入する。このとき、小魚の腹部などの太い部分は、挿入穴４の長穴４ｂ部分を拡げて通すことで、挿入しやすくすることができるとともに、生餌７を取り替える際に取り外しやすくすることが可能である。なお、保持具本体２の中空部３の容積に比べて若干サイズの大きい生餌である場合、保持具本体２を軟質素材で形成し、中空部３の容積を拡大させることで生餌２全体を密着した状態で保持することができ、生餌７をキャスティングなどの時により一層抜けにくく取り付けることも可能である。
【００２４】
図４は、生餌７を挿入して保持した状態の生餌保持具１を釣針８に巻き付けた状態を示したものであり、直接釣針８を生餌７に取り付けることなく、生餌保持具１の保持具本体２両側面に設けた放出孔５、５の中間位置に配置された複数の溝部６ａ、６ａからなるガイド溝６に沿ってワイヤ９の間隔を空けて巻き付けることで、生餌７をより一層傷つけずに釣針８に巻き付けることが可能である。
【００２５】
したがって、上述した構成から生餌保持具１によれば、サイズの異なるキビナゴなどの生餌７を容易に保持することができるとともに、釣針８に直接固定しないため、生餌７を損傷せずに釣針８に巻き付けことが可能である。複数回キャスティングや採捕する対象魚の噛みつき等の外部の圧力を受けても、生餌７の身崩れを防ぐことができ、生餌７のエキスをより長時間放出させ続けることできる。その結果として、一つの生餌７に対する釣果の期待値を高めることが可能な生餌保持具１を提供することが可能である。
【符号の説明】
【００２６】
1…生餌保持具、２…保持具本体、２ａ…外周面、２ｂ…頭部、２ｃ…腹部、２ｄ…尾部、３…中空部、３ａ…内周面、４…挿入穴、４ａ…丸穴、４ｂ…長穴、５…放出穴、６…ガイド溝、６a…溝部、７…生餌、８…釣針、９…ワイヤ 
【図１】
2018191587.tif 000003
【図２】
2018191587.tif 000004
【図３】
2018191587.tif 000005
【図４】
2018191587.tif 000006